(57)【特許請求の範囲】
【請求項１】
頂板１３中央部に透孔１４を穿設して、該透孔周縁部からステム嵌合筒１５を垂下すると共に、その透孔後縁から透孔左右両側縁を通って頂板前縁まで、細長な第１周壁１６を頂板１３から起立することで液体流出路としての細長凹部１７を形成し、又上記第１周壁１６の左右両側壁部１６ａ  ，１６ａ  および後壁部１６ｂ  の外方へ小間隙を隔てて、かつ第１周壁の前壁部は共用前壁部１６ｃ  として第２周壁１８を頂板１３から起立したヘッド本体１２と、
上記第１，第２周壁１６，１８間の小間隙内へ、弾性平板２２下面から垂設した第１脚板２３を固着させて、上記細長凹部１７上面を弾性平板２２で密閉すると共に、上記共用前壁部１６ｃ  上面へ水密に接する、細長凹部１７前方の弾性平板２２前端部には、弾性変形可能な肉薄部２５を設けて、該肉薄部と共用前壁部１６ｃ  上面とで通常弾性閉塞されている吐出弁２６を形成する弾性蓋板２１とで、
形成したことを特徴とするポンプ式液体注出器の押下げヘッド。
【請求項２】
ヘッド本体第２周壁１８の左右両側壁部１８ａ  ，１８ａ  の後半部および後壁部１８ｂ  との間に間隙を隔てて、かつ第２周壁左右両側壁部１８ａ  ，１８ａ  の前半部および第１、第２周壁の共用前壁部１６ｃ  を共用壁部として頂板１３から第３周壁１９を起立しておき、別に設けた剛性の上蓋３１の覆合板３２で、上記弾性蓋板の前部を除く部分上面を押圧させて、覆合板３２の左右両側部および後部から垂下する第２脚部３３を、上記第２，第３周壁間の間隙内へ固着させたことを特徴とする、請求項１記載の押下げヘッド。
【請求項３】
頂板１３外周から囲成筒２０を垂下すると共に、共用前壁部１６ｃ  を上前方へ傾斜延長し、かつ各周壁および弾性蓋板２１の各前部を前方延長させることで、囲成筒２０前面上端部から前方突出するノズル４１を形成したことを特徴とする請求項１又は２記載の押下げヘッド。
【発明の詳細な説明】
【０００１】
【発明の属する技術分野】
本発明は、ポンプ式液体注出器の押下げヘッドに関する。
【０００２】
【従来の技術】
例えば実開平７‐４６３６１  号公報が示すように、従来ポンプ式液体注出器は、容器体内に垂下させるシリンダ内から、ステム下部に筒状ピストンを有しかつステム上端にノズル付き押下げヘッドを嵌着させた作動部材を、上方付勢させて起立し、該作動部材の上下動で容器体内液体をシリンダ内に吸上げ、かつ該シリンダ内液体を上記ノズルから噴出できるよう設けており、その押下げヘッドは、シリンダ内からステム内を通って押出された液体を、そのままノズルから噴出するよう設けている。
【０００３】
【発明が解決しようとする課題】
上記のように従来のポンプ式液体注出器の押下げヘッドは、ステムを介して押出された液体をそのままノズルから噴出するよう設けているが、例えば上記液体注出器を、比較的少量宛使用する化粧用液体、特に高粘度の液体注出用の液体注出器として使用しようとすると、注出液体量の調整が困難となり、又ノズル先端からの液垂れを生じ易い。
【０００４】
本発明は、押下げヘッドのノズル先端に弾性閉塞している吐出弁を設けたことを主たる特徴とするもので、従って該ヘッド付き液体注出器にあっては、作動部材の押下げによる高圧化でシリンダ内液体がステムを通ってノズル内に入り、上記吐出弁をその弾性に抗し開弁して注出するよう設けたものであり、必要量の液体注出後、上記押下げを解放すると、ノズル内高圧状態の解消で上記吐出弁が弾性閉塞すると共に作動部材が上昇して再びシリンダ内に液体が吸込まれるよう設けたものである。
【０００５】
【課題を解決するための手段】
第１の手段として、頂板１３中央部に透孔１４を穿設して、該透孔周縁部からステム嵌合筒１５を垂下すると共に、その透孔後縁から透孔左右両側縁を通って頂板前縁まで、細長な第１周壁１６を頂板１３から起立することで液体流出路としての細長凹部１７を形成し、又上記第１周壁１６の左右両側壁部１６ａ  ，１６ａ  および後壁部１６ｂ  の外方へ小間隙を隔てて、かつ第１周壁の前壁部は共用前壁部１６ｃ  として第２周壁１８を頂板１３から起立したヘッド本体１２と、
【０００６】
上記第１，第２周壁１６，１８間の小間隙内へ、弾性平板２２下面から垂設した第１脚板２３を固着させて、上記細長凹部１７上面を弾性平板２２で密閉すると共に、上記共用前壁部１６ｃ  上面へ水密に接する、細長凹部１７前方の弾性平板２２前端部には、弾性変形可能な肉薄部２５を設けて、該肉薄部と共用前壁部１６ｃ  上面とで通常弾性閉塞されている吐出弁２６を形成する弾性蓋板２１とで、
形成した。
【０００７】
第２の手段として、上記第１の手段を有すると共にヘッド本体第２周壁１８の左右両側壁部１８ａ  ，１８ａ  の後半部および後壁部１８ｂ  との間に間隙を隔てて、かつ第２周壁左右両側壁部１８ａ  ，１８ａ  の前半部および第１、第２周壁の共用前壁部１６ｃ  を共用壁部として頂板１３から第３周壁１９を起立しておき、別に設けた剛性の上蓋３１の覆合板３２で、上記弾性蓋板の前部を除く部分上面を押圧させて、覆合板３２の左右両側部および後部から垂下する第２脚部３３を、上記第２，第３周壁間の間隙内へ固着させた。
【０００８】
第３の手段として、上記第１の手段、又は第２の手段を有すると共に頂板１３外周から囲成筒２０を垂下すると共に、共用前壁部１６ｃ  を上前方へ傾斜延長し、かつ各周壁および弾性蓋板２１の各前部を前方延長させることで、囲成筒２０前面上端部から前方突出するノズル４１を形成した。
【０００９】
【発明の実施の形態】
本発明の押下げヘッドは、ポンプ式液体注出器のステム上端に嵌合させるもので、まずそのポンプ式液体注出器１について簡単に説明すると、２は容器体口頸部外面へ螺合させる装着筒で、容器体内へ垂下させるシリンダ３を吊下げ、該シリンダ下端からは容器体内液体吸上げ用のパイプ４を垂下する。シリンダ３内からは作動部材５を上方付勢させて起立する。該作動部材は、ステム６下端に筒状ピストン７を、又ステム上端にノズル付きの押下げヘッド１１をそれぞれ嵌合させ、該作動部材の上下動で容器体内液体をシリンダ内へ吸上げ、かつ該シリンダ内液体をステム６を通って押下げヘッドのノズルから注出するものである。図示例ではポペット８下端とシリンダ下部内面とで吸込み弁を、又筒状ピストン７を一定範囲ステム下部に対して上下動可能として、その筒状ピストンとステム下部に穿設した弁孔とで吐出弁を形成している。但し該ポンプ式液体注出器は、作動部材の上下動でポンプを作動するよう設けたものであればどのようなものでもよい。
【００１０】
本発明の押下げヘッド１１は、ヘッド本体と弾性蓋板とで、又はそれ等と剛性ある上蓋とで形成している。
【００１１】
ヘッド本体１２は、頂板１３中央部に透孔１４を穿設して、該透孔周縁部からステム嵌合筒１５を垂下すると共に、図２が示すように透孔１４後縁から透孔の左右両側縁を通って頂板１３前縁まで、細長な第１周壁１６を頂板１３から起立することで、液体流出路としての細長凹部１７を形成し、又第１周壁１６の左右両側壁部１６ａ  ，１６ａ  および後壁部１６ｂ  の外方へ小間隙を隔てて、かつ第１周壁の前壁部は共用前壁部１６ｃ  として第２周壁１８を、更に第２周壁１８の左右両側壁部１８ａ  ，１８ａ  の後半部および後壁部１８ｂ  との間に間隙を隔てて、かつ第２周壁左右両側壁１８ａ  ，１８ａ  の前半部および第１，第２周壁の共用前壁部１６ｃ  を共用として第３周壁部１９を、それぞれ頂板１３から起立する。
【００１２】
但し請求項１の押下げヘッドの場合、つまり後述の上蓋を用いない場合は第３周壁１９は不要である。
【００１３】
図示例のように頂板外周から囲成筒２０を垂下させることで、ステム６上端部にステム嵌合筒１５を嵌合させたとき、装着筒２から起立する覆合周壁９の上端部内へ上記囲成筒２０下部が遊挿できるよう設けてもよく、このようにすることで、本発明押下げヘッドを使用する液体注出器の外見をよくすることが、又作動部材５が上下動する際のグラつきを防止することが出来る。
【００１４】
図示例が示すように各周壁の共用前壁１６ｃ  は前上方へ傾斜させ、又各周壁の左右両側壁部の前端部は共用前壁１６ｃ  の斜面に接続させてもよく、このようにすることで、上記細長凹部１７および第１，第２周壁１６，１８と後述の弾性蓋板とで形成するノズルを前方突出させて使用上便利とすることが出来る。
【００１５】
弾性蓋板２１は、既述第１，第２周壁１６，１８間の小間隙内へ、弾性平板２２下面から垂設したＵ字形状の第１脚板２３を固着させて細長凹部１７上面を弾性平板２２で密閉させている。該弾性蓋板２１を図３が斜視図をもって示す。該図が示すように弾性平板２２前部は縦断面ほぼ三角形状に、該前部の後端は後向き段部を介して高く、その前部上面は前方へ下降する傾斜面とし、かつ前端面は小肉厚の起立面として前部の剛性を高めており、又その前端部の、細長凹部１７前方部分上面には前後方向への凹溝２４を設けて該凹溝下方の弾性平板部分を弾性変形可能な肉薄部２５とし、該肉薄部と共用前壁部１６ａ  上面とで弾性閉塞された吐出弁２６を形成している。
【００１６】
３１は押下げヘッドが比較的大形であって、弾性蓋板２１の抜出しのおそれがある場合に使用する上蓋で、既述第２，第３周壁１８，１９間の間隙内へ覆合板３２外縁部から垂設した第２脚部３３を固着させて、その覆合板３２で、上記弾性蓋板２１の前部を除く部分上面を押圧するものである。図示例では第２脚部３３を間隙外側の第３周壁部分内面へ凹凸の係合手段を介して抜出し不能に嵌着させ、又覆合板３２前端はその前端面を既述弾性平板２２の後向き段部後面へ係合させ、弾性平板２２前部が上方へ弯曲しないよう設けている。
【００１７】
既述のヘッド本体１２、弾性蓋板２１、上蓋３１はそれぞれ合成樹脂材で成形する。但し弾性蓋板２１はゴムで形成してもよい。
【００１８】
本発明の押下げヘッド１１を、図１が示すように液体注出器１のステム６上端部に嵌着させ、又該液体注出器を容器体口頸部に嵌合させておき、該状態から押下げヘッド１１を押下げすると、ステム６内を通って細長凹部１７内へ入った液体は、該凹部内での高圧化により弾性蓋板２１を押上げようとするが、該弾性蓋板２１はその弾性平板２２下面から垂設した第１脚板２３を既述第１，第２周壁１６，１８間の小間隙内へ固着させて細長凹部１７を密閉するから、又請求項２の押下げヘッドの場合は更に上記弾性平板２２の前部を除く部分上面を剛性の上蓋３１で押圧しているから押上げできず、よって弾性平板２２前端部の肉薄部２５だけをその弾性に抗し押上げして、その肉薄部と共用前壁部１６ｃ  の上面とが形成する吐出弁２６を開き、外方へ流出する。該流出により高圧状態が解消することで上記肉薄部２５は弾性復元して吐出弁２６は閉塞する。
【００１９】
【発明の効果】
本発明は既述構成とするものであり、請求項１記載の押下げヘッドは、頂板１３上面に、ステム嵌合筒１５と連通させて細長凹部１７を形成し、その細長凹部１７上面を頂板上面から起立する第１，第２周壁１６，１８間の小間隙に第１脚板２３を固着させた弾性蓋板２１の弾性平板２２で密閉し、又上記細長凹部１７前方の弾性平板前端部に弾性変形可能な肉薄部２５を設けて、該肉薄部と共用前壁部１６ｃ  上面とで、通常弾性閉塞されている吐出弁２６を設けたから、上記細長凹部内液体が高圧化したときだけ液体が流出し、該液体流出による高圧状態解消と同時に液体流出を停止することとなり、よって比較的少量の液体、特に高粘度の化粧液注出の際、所望量の液体を取出すことが容易である。
【００２０】
請求項２の押下げヘッドは、上記請求項１押下げヘッドが有する効果を有すると共に、弾性平板２２の前部を除く部分を、第２，第３周壁１８，１９間に固着させた第２脚部３３を有する剛性の上蓋３１の覆合板３２で押圧させたから、細長凹部１７内液体が何等かの理由で異常に高圧化しても弾性蓋板２１がヘッド本体１２から抜出すおそれがない。
【００２１】
請求項３の押下げヘッドは、上記請求項１又は２記載の押下げヘッドが有する効果のほか、頂板１３外周から囲成筒２０を垂下すると共に、共用前壁部１６ｃ  を上前方へ傾斜延長し、かつ各周壁および弾性蓋板２１の各前部を前方延長させることで、囲成筒２０の全面上端部から前方突出するノズル４１を形成したから、押上げヘッドの外見を向上させることが出来ると共に、上記ノズルから注出される液体を手に受け易く、該押下げヘッドを装着させたポンプ式液体注出器の使い勝手を向上させることが出来る。
【図面の簡単な説明】
【図１】本発明の押下げヘッドを有する、ポンプ式液体注出器の断面図である。
【図２】本発明押下げヘッドの主要部材であるヘッド本体の斜視図である。
【図３】本発明押下げヘッドの部材としての、弾性蓋板の斜視図である。
【図４】図３Ａ−Ａ線の断面図である。
【図５】本発明押下げヘッド構成部材としての、上蓋の斜視図である。
【符号の説明】
１１…押下げヘッド      １２…ヘッド本体          １６…第１周壁
１７…細長凹部          １８…第２周壁        １９…第３周壁
２１…弾性蓋板          ３１…上蓋
【図１】
0003628795.tif 000002
【図２】
0003628795.tif 000003
【図３】
0003628795.tif 000004
【図４】
0003628795.tif 000005
【図５】
0003628795.tif 000006